(57)【要約】      （修正有）【課題】電気部品等を簡単及び安価な方法で家具に装着させる家具部品を提供する。【解決手段】家具体２と、その可動家具部と、可動家具部が家具体２に対して動くことができるように可動家具部を支持するガイドレールと、可動家具部をガイドレールに沿って押すことで、家具体２に対し、可動家具部を移動させる１つの押出具３と、１つの押出具３を支持するための支持部材１とを含む。支持部材１は、家具体２に取り付けられた支持レールであって、家具体２に取り付けられ、家具体２によって支持されており、ガイドレールとは分離され、ガイドレールによっては支持されていない。【選択図】図１
0003172524.tif 000002
【実用新案登録請求の範囲】
【請求項１】
家具部品であって、
該家具部品の一部材である家具体（2）と、
該家具体（2）に対して、動くことができる可動家具部（4）と、
該家具体（2）に取り付けられたガイドレール（20）であって、前記可動家具部（4）に接続されており、該可動家具部（4）が前記家具体（2）に対して動くことができるように該可動家具部（4）を支持するためのガイドレール（20）と、
前記可動家具部（4）を前記ガイドレール（20）に沿って押すことで、前記家具体（2）に対し、前記可動家具部（4）を移動させるための少なくとも１つの押出具（3）と、
前記家具体（2）に取り付けられた支持部材（1）であって、前記少なくとも１つの押出具（3）を支持するための支持部材（1）と、
を含んで成り、
前記支持部材（1）は、前記家具体（2）に取り付けられた支持レールであって、
該支持レールは、前記家具体（2）の一位置に取り付け可能であるように形成されていると共に、該家具体（2）によって支持されており、前記支持レールは、前記ガイドレール（20）とは分離されていると共に、該ガイドレール（20）によっては支持されておらず、
前記ガイドレール（20）は、前記支持レールとは分離していると共に、前記支持レールによっては支持されていないことを特徴とする家具部品。
【請求項２】
支持部材（1）は、固定状態の押出具（3）に給電するために少なくとも２本の給電線（5）を有することを特徴とする請求項１記載の家具部品。
【請求項３】
支持部材（1）は、レール体の形態であることを特徴とする請求項１記載の家具部品。
【請求項４】
給電線（5）は、実質的に支持レールの全長にわたって提供されたブスバ（busbars）の形態であることを特徴とする請求項２記載の家具部品。
【請求項５】
支持部材（1）は、押出具（3）との情報交換又は押出具（3）同士の情報交換のために少なくとも１つのデータバスを有することを特徴とする請求項１記載の家具部品。
【請求項６】
押出具（3）に給電するための変圧装置（7）が支持部材（1）に固定されていることを特徴とする請求項１記載の家具部品。
【請求項７】
支持レールに固定された押出具（3）に給電するために１体の変圧装置（7）のみが支持部材（1）に固定されていることを特徴とする請求項６記載の家具部品。
【請求項８】
支持レールは、該支持レールに固定される押出具（3）のために少なくとも１つの設定固定位置(15)を有することを特徴とする請求項７記載の家具部品。
【請求項９】
少なくとも２つの支持部材が、家具体(2)において通電部品(14)によって相互に通電状態であることを特徴とする請求項１記載の家具部品。
【請求項１０】
支持部材（1）に固定されているか固定可能な全部品に給電するための変圧装置（7）が、工具を使用せずに支持部材（1）の１つに固定されていることを特徴とする請求項９記載の家具部品。
【請求項１１】
請求項１に記載の少なくとも２つの家具部品を含んだ構造体であって、
少なくとも１体の第１の家具体（2）内で変圧装置（7）が工具を使用せずに支持部材（1）に固定されており、
該変圧装置（7）は、第２の家具体（2）内に設置されている支持部材（1）と通電状態であり、
該変圧装置は、該支持部材（1）へ固定された、または固定可能な部品に給電することを特徴とする構造体。
【請求項１２】
部品の制御を目的とした少なくとも１つのコントロール装置を含んでいることを特徴とする請求項１１記載の構造体。
【請求項１３】
１体のコントロール装置を含んでいることを特徴とする請求項１２記載の構造体。
【考案の詳細な説明】
【技術分野】
【０００１】
本考案は、家具体内固定用の家具部品及び該家具部品を含んだ構造体に関する。
【背景技術】
【０００２】
近代家具には、可動家具部を押出すための押出具等の電気部品や他の部品が装着されることがある。
【考案の開示】
【考案が解決しようとする課題】
【０００３】
このような家具部品は、家具体に個別に固定されなければならず、作業が面倒であった。電気部品である場合には、それぞれの電気部品に個別に給電する必要があった。このように面倒で複雑な加工作業を要する家具は高価であった。
【課題を解決するための手段】
【０００４】
本考案の目的はそのような部品を簡単及び安価な方法で家具に装着させる家具部品及び該家具部品を含んだ構造体の提供である。
すなわち、本考案は、家具部品であって、該家具部品の一部材である家具体（2）と、
該家具体（2）に対して、動くことができる可動家具部（4）と、該家具体（2）に取り付けられたガイドレール（20）であって、前記可動家具部（4）に接続されており、該可動家具部（4）が前記家具体（2）に対して動くことができるように該可動家具部（4）を支持するためのガイドレール（20）と、前記可動家具部（4）を前記ガイドレール（20）に沿って押すことで、前記家具体（2）に対し、前記可動家具部（4）を移動させるための少なくとも１つの押出具（3）と、前記家具体（2）に取り付けられた支持部材（1）であって、前記少なくとも１つの押出具（3）を支持するための支持部材（1）と、を含んで成り、
前記支持部材（1）は、前記家具体（2）に取り付けられた支持レールであって、支持レールは、前記家具体（2）の一位置に取り付け可能であるように形成されていると共に、該家具体（2）によって支持されており、前記支持レールは、前記ガイドレール（20）とは分離されていると共に、該ガイドレール（20）によっては支持されておらず、前記ガイドレール（20）は、前記支持レールとは分離していると共に、前記支持レールによっては支持されていないことを特徴とするものである。
【０００５】
本考案の家具部品によれば上記の目的は、好適には、家具の可動部を押出す押出具を、工具を使用することなく、好適にはスナップ式に支持部材に固定させることで達成される。
【０００６】
本考案によって工具を使用しないで簡単に種々な押出具を家具体に装着させることで家具の製造コストを大幅に低減させることができ、それら押出具の交換や追加も容易に実施できる。
【０００７】
工具を使用しない本考案の装着方法は、例えばスナップ式である。
【０００８】
スナップ式装着手段を提供するため、本考案の家具部品に少なくとも１本、好適には２
本の溝部を提供し、押出具に提供された対応する数のバネ構造体を受領させる。あるいは
逆に、そのような溝部を押出具上に提供し、バネ構造体を支持部材に提供することもでき
る。
【０００９】
押出具に安定的に給電するために少なくとも２本の給電線を支持部材に提供することが望ましい。この構成によって押出具に対して容易に給電することができる。
【００１０】
本考案の家具部品に用いる支持部材は、例えばレール体であり、好適には特殊形状のレール体である。
【００１１】
支持部材がレール体である場合、好適には給電線は支持部材全長にわたって提供された
ブスバ(busbars)の形態である。固定された対象部品に提供された接点部を介してこれら
ブスバとの通電が提供される。
【００１２】
好適には押出具にはデータ収集用の種々なセンサが提供される。収集データは押出具自
身に処理させても、コントローラ等の他の押出具に送って処理させることもできる。この
場合、好適には支持部材は装置との、あるいは装置間の情報交換のために少なくとも１つ
のデータバスを有する。これで中央コントローラと個々の押出具との間でデータ交換がで
き、個々の押出具同士でのデータ交換ができる。
【００１３】
押出具に適した電圧を提供するため、好適には支持部材に固定される自身以外の部品に
給電するために変圧装置の形態で、好適には１つの部品を工具を使用せずに提供すること
ができる。１つの変圧装置で支持部材に固定された全ての部品に給電させることもできる
。それぞれの部品を変圧装置に接続することも、変圧装置と個々の部品を直列に接続する
こともできる。変圧装置により支持部材に提供されたバスバに電圧を提供し、各部品をバ
スバと接続させることもできる。
【００１４】
本考案のさらなる特徴は家具体内に部品を装着させる支持部材に関する。
【００１５】
家具体内に装着する押出具の位置は個別に計測されなければならず、装着すべき複数の
押出具が関与する場合には非常に面倒であった。
【００１６】
本考案はこの問題に対処する。支持部材は支持部材に固定される対象部品のために少な
くとも１つの設定固定位置を有する。
【００１７】
すなわち、対象部品の固定位置を個別に測定する必要はない。
【００１８】
本考案の１好適実施態様では、支持部材はレール体であり、レール体に沿って少なくと
も２箇所の設定固定位置が提供される。
【００１９】
好適にはスナップ式固定手段の利用により工具を使用せずに支持部材の設定固定位置に固定される形態の押出具の場合には特に簡単である。
【００２０】
本考案はさらに可動家具部のために少なくとも２つの押出具が装着されている支持部材にも関する。このような支持部材はユニット式に家具体に装着することができる。従って、家具体に簡単に取り付けられるように押出具を予め装着した支持部材を提供することが望ましい。
【００２１】
本考案は上述の支持部材を少なくとも１体装着した家具体にも関する。
【００２２】
家具製造コストをさらに低減させるため、家具体に少なくとも２体の支持部材を設置し
、それら少なくとも２体の支持部材を相互に通電部品等で通電状態に接続しておくことに
よって、個々の支持部材に装着された部品に同時的に通電させ、部品や支持部材同士でデ
ータ交換させることができる。この構造によって電力源及び変圧装置数を減少させること
ができる。
【００２３】
電力源及び変圧装置数をさらに減少させるには、支持部材に、例えば、好適にはスナッ
プ式に工具を使用せずに固定される全部品に対して同時的に通電させる１体の変圧装置を提供することができる。
【００２４】
支持レール体に設定固定位置が提供される場合、家具体内の対象部品のための整然とし
た縦型デザインあるいは横型デザインの設定固定位置が提供されることが望ましい。
【００２５】
本考案は少なくとも２体の上述家具体を有した家具構造体にも関する。
【００２６】
この場合、変圧装置は片方の家具体内で工具を使用せずに、好適にはスナップ式に支持
部材に固定され、他方の家具体内の支持部材に対しても通電するようにアレンジし、それ
ら両支持部材に装着された対象部品に通電することが望ましい。この場合には別々の変圧
装置を提供することは不要である。
【００２７】
対象部品のコントロールを目的として少なくとも１体のコントロール装置を提供することが望ましい。
【００２８】
支持部材が個別の家具体内で通電状態にアレンジされている場合には、電力源及びデー
タ交換の両方の目的で利用することができる。この場合、複数の家具体内にアレンジされ
た全部品のコントロールを１体のコントロール装置で提供することができる。
【００２９】
本考案のさらなる利点及び詳細は添付図面を利用した以下の詳細な説明で理解されよう。
【考案を実施するための最良の形態】
【００３０】
図１ａは家具体２を詳細に示したものであり。本考案の１実施例による支持部材１の上
面及び下面は端末部１１によって固定されている。支持部材１を上面及び下面に固定した
結果、背面壁（図示せず）がなくても支持部材１を家具体２内へ設置することもできる。
可動家具部４（図１には図示せず）のための押出具３と押出具３へ給電するための変圧装
置７は支持部材１にスナップ式に装着されている。押出具３は変圧装置７との通電を提供
するための給電線５を有する。図１ｂは支持部材１が家具体２に固定された状態を示して
いる。
【００３１】
図２ａは家具体の１部を示しており、家具体２上には特殊形状のレール体の形態である
支持部材１が提供されており、複数の押出具３が支持部材１に固定されている。本実施例
では５体の押出具３に１体の変圧装置７によって給電される。図２ｂは図２ａに示す家具
体部分の前面を示している。
【００３２】
図３ａは家具体の別部分を示しており、これには本考案による２体の支持部材１が提供
されており、それぞれの支持部材１には５体の押出具３が固定されている。本実施例では
、１体の変圧装置７のみが全ての押出具３へ電力を供給するよう提供されている。図３ａ
の家具体部分の前面を示した図３ｂから明らかなように、図３ｂで右側に提供された押出
具３は、接続部８によって電力を供給するよう、左側に提供されたそれぞれの押出具３へ
接続されている。この場合、左側に提供されたそれぞれの押出具３は図示の給電線５によ
って変圧装置７へ接続可能である。
【００３３】
図４は２体の家具体２を含んだ構造体９を示しており、それぞれの内部には本考案によ
る支持部材１が提供されている。それぞれの支持部材１には複数の押出具３が固定されて
おり、図４ではそれぞれの家具体から１体の押出具のみが見える状態である。図４の右側
の支持部材１には、この支持部材１の押出具３と、家具体２の左側に提供された支持部材
１の押出具３へ給電するための１体の変圧装置７が提供されている。この場合の電流供給
接続は２体の家具体２間の開口部１３を介して提供できる。
【００３４】
図５ａは本考案による支持部材１の別実施例を示しており、支持部材１は家具体２内に
水平状に提供されている。図５ｂから明らかなように、可動家具部４のための押出具３と
、この押出具３へ給電するための変圧装置７が支持部材１に提供されている。この場合、
押出具３と変圧装置７は給電線５を介して接続可能である。固定される部品のための設定
固定位置１５も図示されており、本実施例では部品に提供された係留ラグを挿入できる凹
部の形態である。家具体２内で支持レール部材１を水平状に提供した結果、固定される部
品のための水平横型デザインが形成される。
【００３５】
図６ａは図５に類似した本考案による支持部材１の別実施例を示しており、これには２
体の押出具３と１体の変圧装置７が提供されている。図６ａでは、２体の押出具３はこの
場合給電線５を介して相互接続されている。変圧装置７にさらに近接して提供された押出
具３は、２体の押出具３を変圧装置７へ共に接続するように接続部（図示せず）によって
接続できる。
【００３６】
図６ｂは図６ａの詳細図であり、給電線５に加えて、押出具３を接続するためのデータ
ケーブル１２が提供されている。これによって２体の押出具３間でデータを交換すること
ができる。
【００３７】
図６ｃは家具体２と可動家具部４とを有した家具の１部を示しており、図６ａで示した
支持部材１が家具体２の背面に提供されている。
【００３８】
図７は本考案による支持部材１のさらなる別実施例の分解図であり、特殊形状のレール
体の形態である。この場合、支持部材１全長にわたってブスバの形態である給電線５とデ
ータバス６（すなわちデータ伝送のための導電接続）が提供されている。さらに押出具３
、変圧装置７及び端末部１１が図示されている。支持部材１を、図７に示す接続部８と通
電部品１４（この場合はクロス接続要素）を介して図９に詳細に示す状態のごとくさらに
別の支持部材１（図示せず）へカップリングすることもできる。これら別の支持部材１は
この場合同じ家具内または別の家具内に提供することができる。
【００３９】
図８ａから図８ｆは上述の部品を詳細に示した図である。
【００４０】
図９ａは図７の分解図に示した支持部材１を組み立てて家具体２へ固定した状態を示している。詳細図９ｂはこの場合特に、一方が支持部材１のブスバとデータバス６へ、他方がこれをさらに別の支持部材１（図示せず）へと繋がる接続部８へ接続する通電部品１４を示している。
【００４１】
図１０ａと図１０ｂは給電線５とデータ線１２を有した本考案による支持部材１のさらに別の実施例を示している。本実施例では部品を固定するための縦型すなわち直立型の設定固定位置１５も図示されている。
【００４２】
部品のタイプは押出具または変圧装置に限定されないことは言うまでもない。
【図面の簡単な説明】
【００４３】
【図１ａ】図１ａは本考案の第１実施例の斜視図である。
【図１ｂ】図１ｂは本考案の第１実施例の斜視図である。
【図２ａ】図２ａは本考案の別実施例の斜視図である。
【図２ｂ】図２ｂは本考案の別実施例の正面図である。
【図３ａ】図３ａは本考案の別実施例の斜視図である。
【図３ｂ】図３ｂは本考案の別実施例の正面図である。
【図４】図４は本考案による家具構造体の１例の斜視図である。
【図５ａ】図５ａは本考案のさらに別な実施例の斜視図である。
【図５ｂ】図５ｂは本考案のさらに別な実施例の詳細図である。
【図６ａ】図６ａは本考案のさらに別な実施例の斜視図である。
【図６ｂ】図６ｂは本考案のさらに別な実施例の詳細図である。
【図６ｃ】図６ｃは本考案のさらに別な実施例の利用例である。
【図７】図７は本考案のさらに別な実施例の斜視図である。
【図８ａ】図８ａは本考案が対象とする個々の対象部品の例である。
【図８ｂ】図８ｂは本考案が対象とする個々の対象部品の例である。
【図８ｃ】図８ｃは本考案が対象とする個々の対象部品の例である。
【図８ｄ】図８ｄは本考案が対象とする個々の対象部品の例である。
【図８ｅ】図８ｅは本考案が対象とする個々の対象部品の例である。
【図８ｆ】図８ｆは本考案が対象とする個々の対象部品の例である。
【図９ａ】図９ａは本考案のさらに別な実施例の斜視図である。
【図９ｂ】図９ｂは本考案のさらに別な実施例の詳細図である。
【図１０ａ】図１０ａは本考案のさらに別な実施例の斜視図である。
【図１０ｂ】図１０ｂは本考案のさらに別な実施例の分解図である。
【図１】
0003172524.tif 000003
【図２】
0003172524.tif 000004
【図３】
0003172524.tif 000005
【図４】
0003172524.tif 000006
【図５】
0003172524.tif 000007
【図６】
0003172524.tif 000008
【図７】
0003172524.tif 000009
【図８】
0003172524.tif 000010
【図９】
0003172524.tif 000011
【図１０】
0003172524.tif 000012